(57)【要約】【課題】デジタル信号処理による復調処理とアナログ信号処理による復調処理の両方のメリットを有する、すなわち消費電流が小さく、かつ耐ノイズ性能の優れた無線受信装置を提供すること。【解決手段】アナログ信号処理回路１２２は、アナログ信号処理によって受信信号を復調する。デジタル信号処理回路１２１は、デジタル信号処理によって受信信号を復調する。切替スイッチ１１８は、受信信号の供給先をアナログ信号処理回路１２２とデジタル信号処理回路１２１の間で切り替える。ノイズ有無判別回路１１９は、受信信号にノイズが含まれているかどうかを判別し、当該判別結果に応じて切替スイッチ１１８を制御する。【選択図】図２
2008271152.tif 000002
【特許請求の範囲】
【請求項１】
無線受信装置であって、
アナログ信号処理によって受信信号を復調するアナログ信号処理回路と、
デジタル信号処理によって受信信号を復調するデジタル信号処理回路と、
受信信号の供給先を前記アナログ信号処理回路と前記デジタル信号処理回路の間で切り替える切替スイッチと、
受信信号にノイズが含まれているかどうかを判別し、当該判別結果に応じて前記切替スイッチを制御するノイズ有無判別回路とを備える、無線受信装置。
【請求項２】
前記ノイズ有無判別回路は、受信信号にノイズが含まれていない場合には前記受信信号が前記アナログ信号処理回路で復調されるように前記切替スイッチを制御し、受信信号にノイズが含まれている場合には前記受信信号が前記デジタル信号処理回路で復調されるように前記切替スイッチを制御することを特徴とする、請求項１に記載の無線受信装置。
【請求項３】
無線受信装置であって、
アナログ信号処理によって受信信号を復調するアナログ信号処理回路と、
デジタル信号処理によって受信信号を復調するデジタル信号処理回路と、
受信信号の供給先を前記アナログ信号処理回路と前記デジタル信号処理回路の間で切り替える切替スイッチと、
車両の状態を示す車両状態信号を取得し、当該車両状態信号に応じて前記切替スイッチを制御する制御部とを備える、無線受信装置。
【請求項４】
前記制御部は、車両が低発電状態かどうかを前記車両状態信号に基づいて判断する手段を含み、当該判断結果に基づいて、車両が低発電状態にある場合には前記受信信号が前記アナログ信号処理回路で復調されるように前記切替スイッチを制御し、車両が低発電状態にない場合には前記受信信号が前記デジタル信号処理回路で復調されるように前記切替スイッチを制御することを特徴とする、請求項３に記載の無線受信装置。
【請求項５】
前記無線受信装置は、受信信号にノイズが含まれているかどうかを判別するノイズ有無判別回路をさらに備え、
前記制御部は、車両が低発電状態かどうかを前記車両状態信号に基づいて判断する手段を含み、当該判断結果および前記ノイズ有無判別回路の判別結果に基づいて、車両が低発電状態にありかつ受信信号にノイズが含まれていない場合には前記受信信号が前記アナログ信号処理回路で復調されるように前記切替スイッチを制御し、車両が低発電状態にないもしくは受信信号にノイズが含まれている場合には前記受信信号が前記デジタル信号処理回路で復調されるように前記切替スイッチを制御することを特徴とする、請求項３に記載の無線受信装置。
【請求項６】
前記制御部は、車両が駐車状態かどうかを前記車両状態信号に基づいて判断する手段と、車両が駐車されてからの経過時間をカウントする手段とを含み、車両が駐車されてから一定時間が経過するまでの間は前記受信信号が前記デジタル信号処理回路で復調されるように前記切替スイッチを制御し、車両が駐車されてから一定時間が経過した以降は前記受信信号が前記アナログ信号処理回路で復調されるように前記切替スイッチを制御することを特徴とする、請求項３に記載の無線受信装置。
【請求項７】
前記無線受信装置が車両に搭載されることを特徴とする、請求項１〜６のいずれかに記載の無線受信装置。
【請求項８】
携帯機からの電波に基づいて、車載機器を遠隔操作する、および／または、車載機器の
使用の可否を制御することが可能な車載機器遠隔制御システムであって、
請求項１〜６のいずれかに記載の無線受信装置によって前記携帯機からの電波を受信することを特徴とする、車載機器遠隔制御システム。
【請求項９】
車両のタイヤに装着された空気圧センサユニットからの電波に基づいて車両のタイヤの空気圧を監視するタイヤ空気圧モニタリングシステムであって、
請求項１〜６のいずれかに記載の無線受信装置によって前記空気圧センサユニットからの電波を受信することを特徴とする、タイヤ空気圧モニタリングシステム。
【発明の詳細な説明】
【技術分野】
【０００１】
本発明は、無線受信装置に関し、特にアナログ信号処理回路とデジタル信号処理回路の両方を備えた無線受信装置に関する。
【背景技術】
【０００２】
従来、車両の使用者が携帯機のボタンを押すと該携帯機から車両に固有の情報を含んだ電波が送信され、その電波が車載電子制御装置に受信されて認証されることでドアのロック／アンロックが行われる車載機遠隔制御システムがある。
【０００３】
また、デジタル信号処理回路を備えた無線受信装置として、従来、特許文献１に記載のデジタル信号処理受信装置がある。デジタル信号処理による復調処理は、アナログ信号処理による復調処理よりも高い耐ノイズ性能を有するというメリットがあるので、上記のような車載機遠隔制御システムにおいても、デジタル信号処理による復調処理を採用することで、高い耐ノイズ性能を得ることができる。
【特許文献１】特開２００４−６４５６３号公報
【発明の開示】
【発明が解決しようとする課題】
【０００４】
ところで、上記のような車載機遠隔制御システムでは、車両に搭載された車載機は、駐車している間（すなわち、車両に搭載された発電機による発電が行われていない状態）もいつでも携帯機からの電波を受信できるように、受信待機状態を維持するので、その間も電流を消費し続ける。
【０００５】
しかしながら、デジタル信号処理による復調処理は、アナログ信号処理による復調処理よりも高い耐ノイズ性能を有するというメリットがある一方で、ノイズ除去のためのノイズ学習処理を常に行うため、アナログ信号処理による復調処理よりも消費電流が大きいというデメリットがある（なお、デジタル信号処理によるノイズ除去方法については、例えば前述の特許文献１に詳細に記載されているので、ここでは詳しい説明を省略する。）。具体的には、アナログ信号処理によって復調処理を行うアナログチューナのおおよその消費電流が７ｍＡであるのに対して、デジタル信号処理によって復調処理を行うデジタルチューナのおおよその消費電流は１０〜１５ｍＡである。よって、上記のような車載機遠隔制御システムにおいて、デジタル信号処理による復調処理を採用した場合には、デジタル信号処理による復調処理を採用した場合と比較して、バッテリー残量の減りが速いという問題がある。
【０００６】
それゆえに本発明の目的は、デジタル信号処理による復調処理とアナログ信号処理による復調処理の両方のメリットを有する、すなわち消費電流が小さく、かつ耐ノイズ性能の優れた無線受信装置を提供することである。
【課題を解決するための手段】
【０００７】
上記目的を達成するために本発明は以下の構成を採用した。なお、括弧内の参照符号および図番号は、図面との対応関係の一例を示したものであって、本発明の範囲を何ら限定するものではない。
【０００８】
本発明の無線受信装置は、アナログ信号処理回路（１２２）と、デジタル信号処理回路（１２１）と、切替スイッチ（１１８）と、ノイズ有無判別回路（１１９）とを備える。アナログ信号処理回路は、アナログ信号処理によって受信信号を復調する。デジタル信号
処理回路は、デジタル信号処理によって受信信号を復調する。切替スイッチは、受信信号の供給先をアナログ信号処理回路とデジタル信号処理回路の間で切り替える。ノイズ有無判別回路は、受信信号にノイズが含まれているかどうかを判別し、当該判別結果に応じて切替スイッチを制御する。
【０００９】
なお、ノイズ有無判別回路は、受信信号にノイズが含まれていない場合には受信信号がアナログ信号処理回路で復調されるように切替スイッチを制御し、受信信号にノイズが含まれている場合には受信信号がデジタル信号処理回路で復調されるように切替スイッチを制御してもよい。
【００１０】
本発明の他の無線受信装置は、アナログ信号処理回路（１２２）と、デジタル信号処理回路（１２１）と、切替スイッチ（１１８）と、制御部（４３）とを備える。アナログ信号処理回路は、アナログ信号処理によって受信信号を復調する。デジタル信号処理回路は、デジタル信号処理によって受信信号を復調する。切替スイッチは、受信信号の供給先をアナログ信号処理回路とデジタル信号処理回路の間で切り替える。制御部は、車両の状態を示す車両状態信号を取得し、当該車両状態信号に応じて切替スイッチを制御する。
【００１１】
なお、制御部は、車両が低発電状態かどうかを車両状態信号に基づいて判断する手段（Ｓ１１）を含んでいてもよい。そして、制御部は、当該判断結果に基づいて、車両が低発電状態にある場合には受信信号がアナログ信号処理回路で復調されるように切替スイッチを制御し、車両が低発電状態にない場合には受信信号がデジタル信号処理回路で復調されるように切替スイッチを制御してもよい（図５）。
【００１２】
また、無線受信装置は、受信信号にノイズが含まれているかどうかを判別するノイズ有無判別回路（１１９）をさらに備えていてもよい。そして、制御部は、車両が低発電状態かどうかを車両状態信号に基づいて判断する手段（Ｓ２１）を含んでいてもよい。そして、制御部は、当該判断結果およびノイズ有無判別回路の判別結果に基づいて、車両が低発電状態にありかつ受信信号にノイズが含まれていない場合には受信信号がアナログ信号処理回路で復調されるように切替スイッチを制御し、車両が低発電状態にないもしくは受信信号にノイズが含まれている場合には受信信号がデジタル信号処理回路で復調されるように切替スイッチを制御してもよい（図６）。
【００１３】
また、制御部は、車両が駐車状態かどうかを車両状態信号に基づいて判断する手段（Ｓ３１）と、車両が駐車されてからの経過時間をカウントする手段（Ｓ３２）とを含んでいてもよい。そして、制御部は、車両が駐車されてから一定時間が経過するまでの間は受信信号がデジタル信号処理回路で復調されるように切替スイッチを制御し、車両が駐車されてから一定時間が経過した以降は受信信号がアナログ信号処理回路で復調されるように切替スイッチを制御してもよい（図７）。
【００１４】
なお、本発明の無線受信装置は、車両に搭載されるものであってもよい。
【００１５】
本発明の車載機器遠隔制御システムは、携帯機からの電波に基づいて、車載機器を遠隔制御する、および／または、車載機器の使用の可否を制御することが可能な車載機器遠隔制御システムであって、上記のいずれかの無線受信装置を備えることを特徴とする。
【００１６】
本発明のタイヤ空気圧モニタリングシステムは、車両のタイヤに装着された空気圧センサユニットからの電波に基づいて車両のタイヤの空気圧を監視するタイヤ空気圧モニタリングシステムであって、上記のいずれかの無線受信装置を備えることを特徴とする。
【発明の効果】
【００１７】
本発明によれば、デジタル信号処理による復調処理とアナログ信号処理による復調処理が適宜に切り替わるので、消費電流が小さく、かつ耐ノイズ性能の優れた無線受信装置を実現することができる。
【発明を実施するための最良の形態】
【００１８】
以下、図面を参照しながら本発明の種々の実施形態について説明する。なお、以下では本発明のノイズ除去装置を車載機器遠隔制御システムに適用した場合について説明するが、本発明は車載機器遠隔制御システム以外のシステム（例えば、タイヤ空気圧モニタリングシステム等）にも適用可能である。タイヤ空気圧モニタリングシステムとは、タイヤの空気圧を検出してその検出結果を示す電波を出力する機能を有する空気圧センサユニットを車両の各タイヤに装着し、これらの空気圧センサユニットからの電波を車両に設置された受信部によって受信することによって、各タイヤの空気圧を監視するシステムである。
【００１９】
（第１の実施形態）
図１は、本発明の第１の実施形態に係る車載機器遠隔制御システムの構成を示すブロック図である。第１の実施形態の車載機器遠隔制御システムは、無線通信機能を有する車載機１０および携帯機３０を備える。車載機１０は車両に搭載されており、携帯機３０は車両のユーザによって携帯される。
【００２０】
車載機１０は、受信部１１と送信部１２と制御部１３を備えている。受信部１１は、受信アンテナ（図２の１１１）を有している。受信アンテナ１１１は、例えばバックミラー近傍、ピラー内に配設される。送信部１２は、送信アンテナを有している。送信アンテナは、例えばドアのアウタハンドルに配設されている。
【００２１】
送信部１２は、制御部１３からの指令に従って、“０”と“１”とに２値化されたデータを変調（ＡＭ変調またはＦＭ変調）して出力する。送信部１２から出力される変調信号は、送信アンテナを介して外部へ送信される。なお、車載機１０から携帯機３０に向けて電波を送信する必要が無いシステム（例えば、携帯機３０からの電波に応じて車両のドアをロックまたはアンロックするだけのシステム）においては、車載機１０の送信部１２は不要である。
【００２２】
受信部１１は、携帯機３０の送信した電波を受信アンテナ１１１を介して受信すると、この受信信号を２値化データに復調して復調信号として出力する。受信部１１から出力された復調信号は、制御部１３に供給される。
【００２３】
制御部１３は、ＣＰＵ、ＲＯＭ、及びＲＡＭ等からなる周知のマイコンを中心に構成されている。制御部１３には、受信部１１と送信部１２の他に、車両のドアのロックとアンロックを行うためのドアロックモータ２１と、ドアのロック・アンロック状態を検出するドアロックスイッチ２２と、エンジンの回転数を検出するエンジン回転数センサ２３と、イグニッションスイッチ２４が接続されている。イグニッションスイッチ２４から制御部１３へは、イグニッションスイッチ２４のオン／オフ状態を示すイグニッション信号が供給される。
【００２４】
以下、車載機器遠隔制御システムの動作の概要を説明する。
【００２５】
車両のユーザが携帯機３０のロックボタン又はアンロックボタンを押すと、携帯機３０から、押されたボタンに対応する制御コードと、車両に固有の識別コードとを含んだ電波が送信される。
【００２６】
携帯機３０から送信された電波は車載機１０の受信部１１によって受信され、当該電波
に基づいて生成された復調信号が制御部１３に供給される。制御部１３は、復調信号に含まれている識別コードが当該車両に固有の識別コードと一致しているかどうかを判定し、一致していると判定した場合には、復調信号に含まれている制御コード（ロック指示コードまたはアンロック指示コード）に応じてドアロックモータ２１を駆動して、車両の全ドアをロック又はアンロックする。従って、本車載機器遠隔制御システムによれば、車載機１０と携帯機３０との通信により、車両ドアを非接触で遠隔的に施錠又は解錠することができる。
【００２７】
なお、ここでは、ユーザが携帯機３０のロックボタン又はアンロックボタンを押したことに応じて車両の全ドアがロック又はアンロックされる例を説明するが、本発明はこれに限らない。例えば、携帯機３０が車両に接近又は車両から離れたことを車載機１０が検知して、車両の全ドアがアンロック又はロックされてもよい。この場合は、車載機１０の送信部１２から一定の周期で応答要求信号が送信され、この応答要求信号の受信可能エリア内に携帯機３０が位置する場合には、携帯機３０は応答要求信号を受信した後、車載機１０に上記識別コードを含む応答信号を送信する。これにより、車載機１０は、応答要求信号の受信可能エリア内に携帯機３０が位置するか否かを検知することができ、携帯機３０が車両に接近又は車両から離れたことを検知することができる。
【００２８】
なお、上記のように携帯機３０からの電波に基づいて車載機器を遠隔操作するような車載機器遠隔制御システム（例えば、ユーザが携帯機３０のスイッチを操作することに応じてドアをロック又はアンロックするシステムや、ユーザが車両に接近又は車両から離れたことに応じてドアを自動的にロック又はアンロックするシステムなど）に限らず、携帯機３０からの電波に基づいて車載機器の使用の可否を制御する（すなわち、ユーザによる車載機器の使用を許可したり禁止したりする）ことが可能な車載機器遠隔制御システムにも本発明を適用することができる。このような車載機器遠隔制御システムの例として、ユーザが携帯機３０を携帯していれば、キーをキーシリンダーに挿入することなく、単にドア解錠スイッチやエンジン始動スイッチを操作するだけでドアロックの解錠やエンジンの始動を可能にする車載機器遠隔制御システム（例えば、特開２００２−２９３８５号公報に記載されているスマートイグニッション装置など）がある。
【００２９】
以下、図２を参照して、受信部１１の詳細を説明する。
【００３０】
受信部１１は、受信アンテナ１１１を有している。受信アンテナ１１１には、ＳＡＷ（Surface Acoustic Wave）フィルタ１１２が接続されている。ＳＡＷフィルタ１１２は、受信アンテナ１１１に受信されたアナログ受信信号のうち車載機１０及び携帯機３０の搬送周波数を含む帯域の信号を取り出す。
【００３１】
ＳＡＷフィルタ１１２には、アンプ１１３が接続されている。アンプ１１３は、ＳＡＷフィルタ１１２の出力した信号を増幅する。
【００３２】
アンプ１１３には、ミキサ１１４が接続されている。ミキサ１１４は、アンプ１１３の出力信号と、局部発振器１１５からのローカル周波数信号とを混合することにより、受信アンテナに受信された変調信号を中間周波数にダウンコンバートする。ミキサ１１４には、ＩＦ（Intermediate Frequency）フィルタ１１６が接続されている。ＩＦフィルタ１１６は、ミキサ１１４の出力信号から所望帯域の信号を取り出す。
【００３３】
ＩＦフィルタ１１６には、ＩＦアンプ１１７が接続されている。ＩＦアンプ１１７は、ＩＦフィルタ１１６の出力した信号を増幅する。
【００３４】
ＩＦアンプ１１７には、切替スイッチ１１８とノイズ有無判別回路１１９が接続されて
いる。ノイズ有無判別回路１１９は、ＩＦアンプ１１７から出力される信号にノイズが含まれているか否かを判断し、その判断結果に応じて切替制御信号を出力する。切替スイッチ１１８は、ノイズ有無判別回路１１９から出力される切替制御信号に従って、ＩＦアンプ１１７から出力される信号の出力先を、Ａ／Ｄ変換器１２０とアナログ信号処理回路１２２の間で切り替える。
【００３５】
Ａ／Ｄ変換器１２０は、切替スイッチ１１８から出力されるアナログ信号を量子化してデジタル値に変換する。Ａ／Ｄ変換器１２０の出力信号は、デジタル信号処理回路１２１に供給される。デジタル信号処理回路１２１は、Ａ／Ｄ変換器１２０の出力信号をデジタル信号処理によって復調し、復調信号として制御部１３に出力する。デジタル信号処理回路１２１におけるディジタル信号処理の詳細は、例えば前述の特許文献１に詳細に記載されているため、ここでは詳しい説明を省略する。
【００３６】
アナログ信号処理回路１２２は、切替スイッチ１１８の出力信号をアナログ信号処理によって復調し、復調信号として制御部１３に出力する。
【００３７】
次に、ノイズ有無判別回路１１９の詳細を説明する。
【００３８】
ノイズ有無判別回路１１９は、ＩＦアンプ１１７から出力される信号にノイズが含まれているか否か（より正確には、アナログ信号処理回路１２２の動作に悪影響を及ぼす程度のノイズが含まれているか否か）を判断する。そして、ノイズが含まれていない場合には、ＩＦアンプ１１７から出力される信号がアナログ信号処理回路１２２に供給されるように、切替スイッチ１１８を制御する。また、ノイズが含まれている場合には、ＩＦアンプ１１７から出力される信号がＡ／Ｄ変換器１２０に供給されるように、切替スイッチ１１８を制御する。
【００３９】
なお、ノイズ有無判別回路１１９においてノイズの有無を判別する方法としては、公知の任意のノイズ検出手法を利用することができる。一例として、受信信号の電界強度を測定し、当該電界強度が予め定められた閾値を超えたか否かを判定することによって、ノイズの有無を判別してもよい。なお、アナログ信号処理回路１２２からＲＳＳＩ（Recieving Signal Strength Indicator）信号を取得できる場合には、このＲＳＳＩ信号が示す電界強度が予め定められた閾値を超えたか否かを判定することによって、ノイズの有無を判別してもよい。
【００４０】
以上のように、第１の実施形態によれば、受信信号にノイズが含まれていない場合には、デジタル信号処理による復調処理よりも消費電流の小さいアナログ信号処理による復調処理によって受信信号を復調し、受信信号にノイズが含まれている場合には、アナログ信号処理による復調処理よりも高い耐ノイズ性能を有するデジタル信号処理による復調処理によって受信信号を復調する。よって全体として、消費電流が小さく、かつ耐ノイズ性能の優れた無線受信装置を実現することができる。
【００４１】
（第２の実施形態）
図３は、本発明の第２の実施形態に係る車載機器遠隔制御システムの構成を示すブロック図である。なお、図３において、図１に示した第１の実施形態と同一の構成要素については同一の参照符号を付し、説明を省略する。
【００４２】
車載機４０は、受信部４１と送信部１２と制御部４３を備えている。制御部４３から受信部４１へは、切替制御信号が供給される。
【００４３】
図４は、受信部４１の構成を示すブロック図である。なお、図４において、図２に示し
た第１の実施形態と同一の構成要素については同一の参照符号を付し、説明を省略する。第２の実施形態の受信部４１は、第１の実施形態の受信部１１からノイズ有無判別回路１１９を除いた構成となっている。そして、制御部４３から出力される切替制御信号は、切替スイッチ１１８に供給される。
【００４４】
以下、図５のフローチャートを参照して、制御部４３の動作を説明する。
【００４５】
図５のステップＳ１１において、制御部４３は、車両が低発電状態（すなわち、車両に搭載されている発電機の発電量が０または十分ではない状態）にあるかどうかを判断する。車両が低発電状態にあるかどうかは、制御部４３に供給されている各種信号（車両の状態を示す車両状態信号）に基づいて判断することができる。例えば、エンジン回転数センサ２３の出力信号によってエンジンの回転数が０か否かを知ることができ、エンジンの回転数が０であれば、車両が低発電状態にあると判断することができる。また例えば、イグニッションスイッチ２４がＯＦＦになっているときは、車両が低発電状態にあると判断することができる。また例えば、デフォッガーが作動している間は、車両が低発電状態にあると判断してもよい。これらに限らず、制御部４３は、他の任意の方法によって車両が低発電状態にあるかどうかを判断してもよい。
【００４６】
ステップＳ１１の判断の結果、車両が低発電状態にあると判断した場合には処理はステップＳ１２に進み、車両が低発電状態にないと判断した場合には処理はステップＳ１３に進む。
【００４７】
ステップＳ１２では、制御部４３は、ＩＦアンプ１１７から出力される信号がアナログ信号処理回路１２２に供給されるように、切替制御信号によって切替スイッチ１１８を制御する。そして、処理はステップＳ１１に戻る。
【００４８】
ステップＳ１３では、制御部４３は、ＩＦアンプ１１７から出力される信号がＡ／Ｄ変換器１２０を介してデジタル信号処理回路１２１に供給されるように、切替制御信号によって切替スイッチ１１８を制御する。そして、処理はステップＳ１１に戻る。
【００４９】
以上のように、第２の実施形態によれば、車両が低発電状態にある場合（すなわち受信部４１の消費電流を抑える必要性が高い場合）には、デジタル信号処理による復調処理よりも消費電流の小さいアナログ信号処理による復調処理によって受信信号を復調し、車両が低発電状態にない場合（すなわち受信部４１の消費電流を抑える必要性が低い場合）には、アナログ信号処理による復調処理よりも高い耐ノイズ性能を有するデジタル信号処理による復調処理によって受信信号を復調する。よって全体として、消費電流が小さく、かつ耐ノイズ性能の優れた無線受信装置を実現することができる。
【００５０】
（第２の実施形態の変形例）
なお、第２の実施形態の変形例として、前述した第１の実施形態のノイズ有無判別回路１１９を第２の実施形態に追加することによって、ノイズの有無および車両が低発電状態か否かの両方を考慮して、切替スイッチ１１８を制御することも可能である。以下、この第２の実施形態の変形例について、より詳細に説明する。
【００５１】
本変形例では、図４のＩＦアンプ１１７の出力信号が、切替スイッチ１１８とノイズ有無判別回路１１９（図２参照）に供給される。そして、ノイズ有無判別回路１１９における判別結果を示す信号が、切替スイッチ１１８ではなく、制御部４３に供給される。制御部４３は、車両状態信号とノイズ有無判別回路１１９の出力信号とに基づいて、切替スイッチ１１８を制御する。以下、図６のフローチャートを参照して、本変形例における制御部４３の動作を説明する。
【００５２】
図６のステップＳ２１において、制御部４３は、車両が低発電状態にあるかどうかを判断する。そして、車両が低発電状態にあると判断した場合には処理はステップＳ２２に進み、車両が低発電状態にないと判断した場合には処理はステップＳ２４に進む。
【００５３】
ステップＳ２２では、制御部４３は、ノイズ有無判別回路１１９の出力信号に基づいて、ノイズの有無（より正確には、アナログ信号処理回路１２２の動作に悪影響を及ぼす程度のノイズが含まれているか否か）を判断する。そして、ノイズが無いと判断した場合には処理はステップＳ２３に進み、ノイズが有ると判断した場合には処理はステップＳ２４に進む。
【００５４】
ステップＳ２３では、制御部４３は、ＩＦアンプ１１７から出力される信号がアナログ信号処理回路１２２に供給されるように、切替制御信号によって切替スイッチ１１８を制御する。そして、処理はステップＳ２１に戻る。
【００５５】
ステップＳ２４では、制御部４３は、ＩＦアンプ１１７から出力される信号がＡ／Ｄ変換器１２０を介してデジタル信号処理回路１２１に供給されるように、切替制御信号によって切替スイッチ１１８を制御する。そして、処理はステップＳ２１に戻る。
【００５６】
以上のように、本変形例によれば、車両が低発電状態にあり、なおかつノイズが無い場合には、デジタル信号処理による復調処理よりも消費電流の小さいアナログ信号処理による復調処理によって受信信号を復調し、車両が低発電状態にないか、もしくはノイズが有る場合には、アナログ信号処理による復調処理よりも高い耐ノイズ性能を有するデジタル信号処理による復調処理によって受信信号を復調する。よって全体として、消費電流が小さく、かつ耐ノイズ性能の優れた無線受信装置を実現することができる。
【００５７】
（第３の実施形態）
次に、本発明の第３の実施形態に係る車載機器遠隔制御システムについて説明する。なお、第３の実施形態に係る車載機器遠隔制御システムは、制御部４３の動作を除けば、第２の実施形態に係る車載機器遠隔制御システムと構成および動作が同じである。よって、以下の説明では、図３および図４を援用する。
【００５８】
以下、図７のフローチャートを参照して、第３の実施形態における制御部４３の動作を説明する。
【００５９】
図７のステップＳ３１において、制御部４３は、車両が駐車状態にあるかどうかを判断する。車両が駐車状態にあるかどうかは、制御部４３に供給されている各種信号（車両の状態を示す車両状態信号）に基づいて判断することができる。例えば、エンジン回転数センサ２３の出力信号によってエンジンの回転数が０か否かを知ることができ、エンジンの回転数が０であれば、車両が駐車状態にあると判断することができる。また例えば、イグニッションスイッチ２４がＯＦＦになっているときは、車両が駐車状態にあると判断することができる。また例えば、シフトレバーがパーキング位置にあれば、車両が駐車状態にあると判断することができる。また例えば、パーキングブレーキが作動していれば、車両が駐車状態にあると判断することができる。また、例えば、車載機４０の送信部１２から送信された応答要求信号に対して、携帯機３０からの応答要求信号が返信されなくなった場合は、車両が駐車状態にあると判断することができる。これらに限らず、制御部４３は、他の任意の方法によって車両が駐車状態にあるかどうかを判断してもよい。
【００６０】
ステップＳ３１の判断の結果、車両が駐車状態にあると判断した場合には処理はステップＳ３２に進み、車両が駐車状態にないと判断した場合には処理はステップＳ３４に進む
。なお、車両が駐車状態にあると判断した場合には、制御部４３は、車両が非駐車状態から駐車状態に変化した時点からの経過時間をカウントする。
【００６１】
ステップＳ３２では、制御部４３は、車両が駐車されてから（すなわち車両が非駐車状態から駐車状態に変化した時点から）一定時間（例えば１０分）以上経過したかどうかを判断する。そして、まだ１０分も経過していないと判断した場合には処理はステップＳ３３に進み、１０分以上経過したと判断した場合には処理はステップＳ３４に進む。
【００６２】
ステップＳ３３では、制御部４３は、ＩＦアンプ１１７から出力される信号がＡ／Ｄ変換器１２０を介してデジタル信号処理回路１２１に供給されるように、切替制御信号によって切替スイッチ１１８を制御する。そして、処理はステップＳ３１に戻る。
【００６３】
ステップＳ３４では、制御部４３は、ＩＦアンプ１１７から出力される信号がアナログ信号処理回路１２２に供給されるように、切替制御信号によって切替スイッチ１１８を制御する。そして、処理はステップＳ３１に戻る。
【００６４】
以上のように、第３の実施形態では、車両が駐車されてから一定時間が経過するまでの期間は、アナログ信号処理による復調処理よりも高い耐ノイズ性能を有するデジタル信号処理による復調処理によって受信信号を復調し、車両が駐車されてから一定時間が経過した以降は、デジタル信号処理による復調処理よりも消費電流の小さいアナログ信号処理による復調処理によって受信信号を復調する。
【００６５】
ところで、車両が駐車されてからしばらくの間（例えば１０分間）は、ユーザは車両の近辺に居る可能性が高いので、携帯機３０の操作が行われる可能性が高い。また、ユーザが車両のドアをロックして一旦車両から遠ざかったとしても、その後、用事を済ませたユーザがすぐに戻ってきて携帯機３０を操作してドアを解錠する可能性もある。しかしながら、車両が駐車されてから、ある程度の時間が経過した後は、ユーザが完全に車両から遠ざかってしまった（例えば自宅に入ってしまった）可能性が高く、携帯機３０が次に操作されるのは、かなり先だと考えられる。第３の実施形態では、車両が駐車されてから一定時間が経過するまでの期間（すなわち携帯機３０からの電波を受信部４１が受信する可能性が高いと考えられる期間）は、耐ノイズ性能を優先して、デジタル信号処理による復調処理によって受信信号を復調し、車両が駐車されてから一定時間が経過した以降（すなわち携帯機３０からの電波を受信部４１が受信する可能性が低いと考えられる期間）は、耐ノイズ性能よりも消費電流を優先して、アナログ信号処理による復調処理によって受信信号を復調する。よって全体として、消費電流が小さく、かつ耐ノイズ性能の優れた無線受信装置を実現することができる。
【００６６】
なお、第３の実施形態では、車両が駐車状態にない間はアナログ信号処理によって受信信号を復調する例を説明したが、車両が駐車状態にない間はデジタル信号処理によって受信信号を復調するようにしても構わない。
【産業上の利用可能性】
【００６７】
本発明は、消費電流が小さく、かつ耐ノイズ性能の優れた無線受信装置として、例えば、携帯機により車両のドアをロックまたはアンロック可能な車載機器遠隔制御システムや、タイヤ空気圧モニタリングシステムに好適である。
【図面の簡単な説明】
【００６８】
【図１】本発明の第１の実施形態に係る車載機器遠隔制御システムの構成を示す図
【図２】第１の実施形態における受信部１１の構成を示す図
【図３】本発明の第２の実施形態に係る車載機器遠隔制御システムの構成を示す図
【図４】第２の実施形態における受信部４１の構成を示す図
【図５】第２の実施形態における制御部４３の動作を示すフローチャート
【図６】第２の実施形態の変形例における制御部４３の動作を示すフローチャート
【図７】第３の実施形態における制御部４３の動作を示すフローチャート
【符号の説明】
【００６９】
１０    車載機
１１    受信部
１２    送信部
１３    制御部
２１    ドアロックモータ
２２    ドアロックスイッチ
２３    エンジン回転数センサ
２４    イグニッションスイッチ
３０    携帯機
４０    車載機
４１    受信部
４３    制御部
１１１    受信アンテナ
１１２    ＳＡＷフィルタ
１１３    アンプ
１１４    ミキサ
１１５    局部発振器
１１６    ＩＦフィルタ
１１７    ＩＦアンプ
１１８    切替スイッチ
１１９    ノイズ有無判別回路
１２０    Ａ／Ｄ変換器
１２１    デジタル信号処理回路
１２２    アナログ信号処理回路
【図１】
2008271152.tif 000003
【図２】
2008271152.tif 000004
【図３】
2008271152.tif 000005
【図４】
2008271152.tif 000006
【図５】
2008271152.tif 000007
【図６】
2008271152.tif 000008
【図７】
2008271152.tif 000009